(57)【要約】【課題】スカートガードを容易に移動させることができる乗客コンベアのスカートガードの脱着治具を提供する。【解決手段】乗客コンベアのスカートガードの脱着治具は、インナーデッキとスカートガードとの間に設けられた意匠形成体を備えた乗客コンベアに対し、板状に形成され、前記乗客コンベアの幅方向の中央の側から前記スカートガードと前記意匠形成体との間を通過して前記スカートガードの裏側に挿入される下部を有した挿入部と、前記挿入部の下部が前記スカートガードと前記意匠形成体との間を通過して前記スカートガードの裏側に挿入された際に前記意匠形成体よりも前記乗客コンベアの幅方向の中央側において前記乗客コンベアの幅方向の中央側に突き出すように前記挿入部の上部に連結された操作部と、を備えた。【選択図】図３
2019151432.tif 000002
【特許請求の範囲】
【請求項１】
インナーデッキとスカートガードとの間に設けられた意匠形成体を備えた乗客コンベアに対し、板状に形成され、前記乗客コンベアの幅方向の中央の側から前記スカートガードと前記意匠形成体との間を通過して前記スカートガードの裏側に挿入される下部を有した挿入部と、
前記挿入部の下部が前記スカートガードと前記意匠形成体との間を通過して前記スカートガードの裏側に挿入された際に前記意匠形成体よりも前記乗客コンベアの幅方向の中央側において前記乗客コンベアの幅方向の中央側に突き出すように前記挿入部の上部に連結された操作部と、
を備えた乗客コンベアのスカートガードの脱着治具。
【請求項２】
前記挿入部は、下部が前記乗客コンベアの幅方向の中央の側から前記スカートガードと前記意匠形成体との間を通過して前記スカートガードの裏側に挿入された際に、上部が前記インナーデッキに対して乗客コンベアの幅方向の中央側に配置される請求項１に記載の乗客コンベアのスカートガードの脱着治具。
【請求項３】
伸縮自在に形成され、一側が前記操作部に連結された支持体と、
前記支持体の他側に連結され、前記インナーデッキの上方に設けられた欄干に吸着する吸着体と、
を備えた請求項１または請求項２に記載の乗客コンベアのスカートガードの脱着治具。
【請求項４】
インナーデッキとスカートガードとの間に設けられた意匠形成体を備えた乗客コンベアにおいて、前記乗客コンベアの幅方向の中央の側から前記スカートガードと前記意匠形成体との間を通過させて前記スカートガードの裏側に請求項１から請求項３のいずれか１項の脱着治具の挿入部の下部を挿入する取り外し時脱着治具挿入工程と、
前記取り外し時脱着治具挿入工程の後、前記脱着治具の挿入部に沿って前記スカートガードを上方に移動させることにより前記乗客コンベアの幅方向の中央側に前記スカートガードを取り外すスカートガード取り外し工程と、
を備えた乗客コンベアのスカートガードの取り外し方法。
【請求項５】
インナーデッキとスカートガードとの間に設けられた意匠形成体を備えた乗客コンベアにおいて、前記乗客コンベアの幅方向の中央の側から前記スカートガードと前記意匠形成体との間を通過させて前記スカートガードの裏側に請求項１から請求項３のいずれか１項の脱着治具の挿入部を挿入する取り付け時脱着治具挿入工程と、
前記取り付け時脱着治具挿入工程の後、前記脱着治具の操作部で前記スカートガードの上縁部を下方に押し込むことにより前記意匠形成体の下方に前記スカートガードを取り付けるスカートガード取り付け工程と、
を備えた乗客コンベアのスカートガードの取り付け方法。
【請求項６】
インナーデッキとスカートガードとの間に設けられた意匠形成体を備えた乗客コンベアにおいて、請求項３に記載の脱着治具の吸着体を前記欄干に吸着させる脱着治具吸着工程と、
前記脱着治具吸着工程の後、前記乗客コンベアの幅方向の中央の側から前記スカートガードと前記意匠形成体との間を通過させて前記スカートガードの裏側に前記脱着治具の挿入部の下部を挿入する取り外し時脱着治具挿入工程と、
前記取り外し時脱着治具挿入工程の後、前記脱着治具の挿入部に沿って前記スカートガードを上方に移動させることにより前記乗客コンベアの幅方向の中央側に前記スカートガードを取り外すスカートガード取り外し工程と、
前記スカートガード取り外し工程の後、前記乗客コンベアの幅方向の中央の側から前記スカートガードと前記意匠形成体との間を通過させて前記スカートガードの裏側に前記脱着治具の挿入部を挿入する取り付け時脱着治具挿入工程と、
前記取り付け時脱着治具挿入工程の後、前記脱着治具の操作部で前記スカートガードの上縁部を下方に押し込むことにより前記意匠形成体の下方に前記スカートガードを取り付けるスカートガード取り付け工程と、
を備えた乗客コンベアのスカートガードの脱着方法。
【発明の詳細な説明】
【技術分野】
【０００１】
この発明は、乗客コンベアのスカートガードの脱着治具、取り外し方法、取り付け方法および脱着方法に関する。
【背景技術】
【０００２】
特許文献１は、乗客コンベアを開示する。当該乗客コンベアは、スカートガードを備える。当該スカートガードは、ステップに隣接する。スカートガードの裏側に配置される機器の保全作業前において、スカートガードは、取り外される。当該保全作業後において、スカートガードは、再び取り付けられる。
【先行技術文献】
【特許文献】
【０００３】
【特許文献１】特開平６−２７８９８３号公報
【発明の概要】
【発明が解決しようとする課題】
【０００４】
特許文献１に記載の乗客コンベアにおいて、スカートガードの取り外し時および取り付け時において、スカートガードの移動が難しいこともある。この場合、保全作業時間が長くなる。
【０００５】
この発明は、上述の課題を解決するためになされた。この発明の目的は、スカートガードを容易に移動させることができる乗客コンベアのスカートガードの脱着治具、取り外し方法、取り付け方法および脱着方法を提供することである。
【課題を解決するための手段】
【０００６】
この発明に係る乗客コンベアのスカートガードの脱着治具は、インナーデッキとスカートガードとの間に設けられた意匠形成体を備えた乗客コンベアに対し、板状に形成され、前記乗客コンベアの幅方向の中央の側から前記スカートガードと前記意匠形成体との間を通過して前記スカートガードの裏側に挿入される下部を有した挿入部と、前記挿入部の下部が前記スカートガードと前記意匠形成体との間を通過して前記スカートガードの裏側に挿入された際に前記意匠形成体よりも前記乗客コンベアの幅方向の中央側において前記乗客コンベアの幅方向の中央側に突き出すように前記挿入部の上部に連結された操作部と、を備えた。
【０００７】
この発明に係る乗客コンベアのスカートガードの取り外し方法は、インナーデッキとスカートガードとの間に設けられた意匠形成体を備えた乗客コンベアにおいて、前記乗客コンベアの幅方向の中央の側から前記スカートガードと前記意匠形成体との間を通過させて前記スカートガードの裏側に前記脱着治具の挿入部の下部を挿入する取り外し時脱着治具挿入工程と、前記取り外し時脱着治具挿入工程の後、前記脱着治具の挿入部に沿って前記スカートガードを上方に移動させることにより前記乗客コンベアの幅方向の中央側に前記スカートガードを取り外すスカートガード取り外し工程と、を備えた。
【０００８】
この発明に係る乗客コンベアのスカートガードの取り付け方法は、インナーデッキとスカートガードとの間に設けられた意匠形成体を備えた乗客コンベアにおいて、前記乗客コンベアの幅方向の中央の側から前記スカートガードと前記意匠形成体との間を通過させて前記スカートガードの裏側に前記脱着治具の挿入部を挿入する取り付け時脱着治具挿入工程と、前記取り付け時脱着治具挿入工程の後、前記脱着治具の操作部で前記スカートガードの上縁部を下方に押し込むことにより前記意匠形成体の下方に前記スカートガードを取り付けるスカートガード取り付け工程と、を備えた。
【０００９】
この発明に係る乗客コンベアのスカートガードの脱着方法は、インナーデッキとスカートガードとの間に設けられた意匠形成体を備えた乗客コンベアにおいて、前記脱着治具の吸着体を前記欄干に吸着させる脱着治具吸着工程と、前記脱着治具吸着工程の後、前記乗客コンベアの幅方向の中央の側から前記スカートガードと前記意匠形成体との間を通過させて前記スカートガードの裏側に前記脱着治具の挿入部の下部を挿入する取り外し時脱着治具挿入工程と、前記取り外し時脱着治具挿入工程の後、前記脱着治具の挿入部に沿って前記スカートガードを上方に移動させることにより前記乗客コンベアの幅方向の中央側に前記スカートガードを取り外すスカートガード取り外し工程と、前記スカートガード取り外し工程の後、前記乗客コンベアの幅方向の中央の側から前記スカートガードと前記意匠形との間を通過させて前記スカートガードの裏側に前記脱着治具の挿入部を挿入する取り付け時脱着治具挿入工程と、前記取り付け時脱着治具挿入工程の後、前記脱着治具の操作部で前記スカートガードの上縁部を下方に押し込むことにより前記意匠形成体の下方に前記スカートガードを取り付けるスカートガード取り付け工程と、を備えた。
【発明の効果】
【００１０】
これらの発明によれば、スカートガードは、脱着治具の挿入部に沿って取り外される。スカートガードは、脱着治具の操作部に下方に押し込まれることにより取り付けられる。このため、スカートガードを容易に移動させることができる。
【図面の簡単な説明】
【００１１】
【図１】実施の形態１における乗客コンベアのスカートガードの脱着治具が適用される乗客コンベアの構成図である。
【図２】実施の形態１における乗客コンベアのスカートガードの脱着治具が使用される乗客コンベアの要部の縦断面図である。
【図３】実施の形態１における乗客コンベアのスカートガードの脱着治具の外観図である。
【図４】実施の形態１における乗客コンベアのスカートガードの脱着治具が使用される際の乗客コンベアの要部の斜視図である。
【図５】実施の形態１における乗客コンベアのスカートガードの脱着治具が使用される際の乗客コンベアの要部の拡大図である。
【図６】実施の形態１における乗客コンベアのスカートガードの脱着治具が使用される際の乗客コンベアの要部の拡大図である。
【発明を実施するための形態】
【００１２】
この発明を実施するための形態について添付の図面に従って説明する。なお、各図中、同一または相当する部分には同一の符号が付される。当該部分の重複説明は適宜に簡略化ないし省略される。
【００１３】
実施の形態１．
図１は実施の形態１における乗客コンベアのスカートガードの脱着治具が適用される乗客コンベアの構成図である。
【００１４】
図１の乗客コンベアは、エスカレーターである。当該乗客コンベアにおいて、下部乗降口１は、隣接階のうちの下方階に設けられる。上部乗降口２は、隣接階のうちの上方階に設けられる。
【００１５】
複数のステップ３は、下部乗降口１と上部乗降口２との間に設けられる。複数のステップ３は、無端状に設けられる。
【００１６】
一対のインナーデッキ４の一方は、複数のステップ３の一側よりも外側に設けられる。一対のインナーデッキ４の他方は、複数のステップ３の他側よりも外側に設けられる。
【００１７】
一対の欄干５の一方は、一対のインナーデッキ４の一方の上方に設けられる。一対の欄干５の他方は、一対のインナーデッキ４の他方の上方に設けられる。
【００１８】
一対の案内レール６の一方は、一対の欄干５の一方の上部に設けられる。一対の案内レール６の他方は、一対の欄干５の他方の上部に設けられる。
【００１９】
一対の手摺７の一方は、無端状に形成される。一対の手摺７の一方は、一対の案内レール６の一方に案内される。一対の手摺７の他方は、無端状に形成される。一対の手摺７の他方は、一対の案内レール６の他方に案内される。
【００２０】
一対のスカートガード８の一方は、一対のインナーデッキ４の一方よりも下方において複数のステップ３の一側に隣接する。一対のスカートガード８の他方は、一対のインナーデッキ４の他方よりも下方において複数のステップ３の他側に隣接する。
【００２１】
一対の意匠形成体９の一方は、一対のインナーデッキ４の一方と一対のスカートガード８の一方との間に設けられる。一対の意匠形成体９の他方は、一対のインナーデッキ４の他方と一対のスカートガード８の他方との間に設けられる。
【００２２】
例えば、一対の意匠形成体９は、照明カバーである。例えば、照明カバーは、アクリルで形成される。当該照明カバーは、図示されない照明ボックスに取り付けられる。
【００２３】
次に、図２を用いて、インナーデッキ４とスカートガード８と意匠形成体９との詳細を説明する。
図２は実施の形態１における乗客コンベアのスカートガードの脱着治具が使用される乗客コンベアの要部の縦断面図である。
【００２４】
図２に示されるように、インナーデッキ４は、傾斜部４ａと突出部４ｂとを備える。傾斜部４ａは、乗客コンベアの幅方向の中央側に向かうにつれて低くなるように傾斜する。突出部４ｂは、傾斜部４ａの下端部から乗客コンベアの幅方向の中央側に突き出す。
【００２５】
スカートガード８は、板状に形成される。スカートガード８は、インナーデッキ４の突出部４ｂよりも乗客コンベアの幅方向の外側に配置される。スカートガード８は、クリップ８ａを備える。クリップ８ａは、スカートガード８の下部の裏側に設けられる。スカートガード８の下部は、クリップ８ａが下側アングル１０をくわえることにより固定される。スカートガード８の上部は、ねじ１１が乗客コンベアの幅方向の中央側からねじ込まれることにより上側アングル１２に固定される。
【００２６】
意匠形成体９は、インナーデッキ４の突出部４ｂよりも乗客コンベアの幅方向の外側に配置される。意匠形成体９の表面は、スカートガード８の表面と同一平面上に配置されるように取り付けられる。意匠形成体９は、合わせ部９ａを備える。合わせ部９ａは、意匠形成体９の下部に形成される。合わせ部９ａは、意匠形成体９の表面から凹むように形成される。合わせ部９ａは、スカートガード８の上縁部を受け入れる。
【００２７】
次に、図３を用いて、脱着治具を説明する。
図３は実施の形態１における乗客コンベアのスカートガードの脱着治具の外観図である。
【００２８】
図３の一対の脱着治具は、１枚のスカートガード８の取り外し時および取り付け時に利用される。一対の脱着治具の各々は、本体１３と支持体１４と吸着体１５と第１連結具１６と第２連結具１７とを備える。
【００２９】
例えば、本体１３は、金属で形成される。本体１３は、挿入部１３ａと操作部１３ｂとを備える。挿入部１３ａは、板状に形成される。操作部１３ｂは、板状に形成される。操作部１３ｂは、挿入部１３ａの上部に連結される。操作部１３ｂは、挿入部１３ａの上部から垂直方向に突き出す。
【００３０】
例えば、支持体１４は、カールストラップである。支持体１４は、伸縮自在に設けられる。
【００３１】
例えば、吸着体１５は、吸盤である。吸着体１５は、図３においては図示されない欄干５へ吸着し得るように形成される。吸着体１５は、欄干５への吸着から解放し得るように形成される。
【００３２】
例えば、第１連結具１６は、金属で形成される。第１連結具１６は、本体１３の操作部１３ｂと支持体１４の一側とを連結する。
【００３３】
例えば、第２連結具１７は、金属で形成される。第２連結具１７は、支持体１４の他側と吸着体１５とを連結する。
【００３４】
次に、図４から図６を用いて、スカートガード８の裏側の保全作業方法を説明する。
図４は実施の形態１における乗客コンベアのスカートガードの脱着治具が使用される際の乗客コンベアの要部の斜視図である。図５と図６とは実施の形態１における乗客コンベアのスカートガードの脱着治具が使用される際の乗客コンベアの要部の拡大図である。
【００３５】
図４に示されるように、スカートガード８の取り外し時において、最初に、脱着治具吸着工程が行われる。脱着治具吸着工程において、作業者は、吸着体１５をガラス製の欄干５に吸着させる。
【００３６】
その後、作業者は、ねじ１１を取り外す。
【００３７】
その後、図５に示されるように、取り外し時脱着治具挿入工程が行われる。取り外し時脱着治具挿入工程において、作業者は、乗客コンベアの幅方向の中央の側からスカートガード８と意匠形成体９との間を通過させてスカートガード８の裏側に本体１３の挿入部１３ａの下部を挿入する。この際、本体１３の操作部１３ｂは、意匠形成体９よりも乗客コンベアの幅方向の中央側において乗客コンベアの幅方向の中央側に突き出す。
【００３８】
その後、スカートガード取り外し工程が行われる。スカートガード取り外し工程において、作業者は、図示されない工具を用いて本体１３の挿入部１３ａに沿ってスカートガード８を上方に移動させる。その結果、スカートガード８は、乗客コンベアの幅方向の中央側に取り外される。
【００３９】
その後、作業者は、スカートガード８が取り外された状態において保全作業を行う。
【００４０】
保全作業の終了後、作業者は、スカートガード８の下部をクリップ８ａで仮に固定する。
【００４１】
その後、取り付け時脱着治具挿入工程が行われる。取り付け時脱着治具挿入工程において、作業者は、乗客コンベアの幅方向の中央の側からスカートガード８と意匠形成体９との間を通過させてスカートガード８の裏側に本体１３の挿入部１３ａを挿入する。
【００４２】
その後、図６に示されるように、スカートガード取り付け工程が行われる。スカートガード取り付け工程において、作業者は、本体１３の操作部１３ｂを手のひらで押し込む。この際、本体１３の操作部１３ｂは、スカートガード８の上縁部を下方に押し込む。その結果、スカートガード８は、意匠形成体９の下方に取り付けられる。
【００４３】
その後、作業者は、スカートガード８と意匠形成体９との間から本体１３の挿入部１３ａを引き抜く。
【００４４】
その後、作業者は、スカートガード８の上部をねじ１１で固定する。
【００４５】
以上で説明した実施の形態１によれば、スカートガード８は、本体１３の挿入部１３ａに沿って取り外される。スカートガード８は、本体１３の操作部１３ｂに下方に押し込まれることにより取り付けられる。このため、スカートガード８を容易かつ円滑に移動させることができる。その結果、スカートガード８の裏側に配置される機器の保全作業を容易に短時間で行うことができる。この際、意匠形成体９の表面に傷が付くこともない。
【００４６】
また、図５に示されるように、本体１３の挿入部１３ａの上部は、本体１３の挿入部１３ａの下部がスカートガード８と意匠形成体９との間を通過してスカートガード８の裏側に挿入された際に、インナーデッキ４に対して乗客コンベアの幅方向の中央側に配置される。このため、スカートガード８の取り外し時において、スカートガード８がインナーデッキ４の突出部４ｂに接触することを防止できる。
【００４７】
また、吸着体１５は、欄干５に吸着される。このため、スカートガード８の取り外し時および取り付け時において、脱着治具が落下することを防止できる。
【００４８】
なお、本体１３の厚さは、スカートガード８の取り外し時および取り付け時においてまがらないよう適宜設定される。例えば、本体１３の厚さは、１ｍｍから２ｍｍの間で設定される。
【００４９】
また、本体１３の幅は、他の部材との緩衝しないように設定される。
【００５０】
また、本体１３の操作部１３ｂの面積は、作業者の手のひらでの押しやすさを考慮して設定される。
【００５１】
また、本体１３の挿入部１３ａと操作部１３ｂとの連結部において、補強がなされてもよい。
【００５２】
また、作業者が手のひらで本体１３の操作部１３ｂを押す際に邪魔にならない位置で第１連結具１６を操作部１３ｂに連結すればよい。例えば、操作部１３ｂの一側かつ挿入部１３ａの側に第１連結具１６を連結すればよい。
【００５３】
また、取り外し時脱着治具挿入工程の後に、脱着治具吸着工程が行われてもよい。
【００５４】
また、スカートガード８に傷が付かないように、本体１３の縁部および角部に丸みをつけてもよい。
【００５５】
また、実施の形態１の脱着治具を動く歩道に適用してもよい。この場合も、スカートガード８を容易に移動させることができる。
【符号の説明】
【００５６】
１  下部乗降口、  ２  上部乗降口、  ３  ステップ、  ４  インナーデッキ、  ４ａ  傾斜部、  ４ｂ  突出部、  ５  欄干、  ６  案内レール、  ７  手摺、  ８  スカートガード、  ８ａ  クリップ、  ９  意匠形成体、  ９ａ  合わせ部、  １０  下側アングル、  １１  ねじ、  １２  上側アングル、  １３  本体、  １３ａ  挿入部、  １３ｂ  操作部、  １４  支持体、  １５  吸着体、  １６  第１連結具、  １７  第２連結具
【図１】
2019151432.tif 000003
【図２】
2019151432.tif 000004
【図３】
2019151432.tif 000005
【図４】
2019151432.tif 000006
【図５】
2019151432.tif 000007
【図６】
2019151432.tif 000008